(57)【要約】【課題】タンクの投入口から泥等の異物がタンク内へ混入することを防止できる散布装置を提供する。【解決手段】台車２に、液体を貯留するタンク３が搭載されると共に、当該タンク３より上に、液体をタンク３から送り出すためのポンプセット４と、液体散布用のホース５を巻き取るためのホースリール６とが搭載された散布装置１において、タンク３に液体を投入するタンク３の投入口１３、ポンプセット４及びホースリール６をこの順で配置し、タンク３の投入口１３及びホースリール６を、ポンプセット４を前後方向から挟んでタンク３の端部に対応してそれぞれ配置して離間させることで、ホースリール６に巻かれているホース５を、投入口１３と逆側の端部から引き出すことを可能とし、ホース５に付着した泥等の異物がタンク３の投入口１３からタンク３内へ混入することを防止する。【選択図】図１
2010154776.tif 000002
【特許請求の範囲】
【請求項１】
台車（２）に、液体を貯留するタンク（３）が搭載されると共に、当該タンク（３）より上に、ポンプ（１７）及びこれを駆動する原動機（１８）を有し前記液体を前記タンク（３）から送り出すためのポンプセット（４）と、前記ポンプ（１７）に接続された前記液体散布用のホース（５）を巻き取るためのホースリール（６）とが搭載された散布装置（１）において、
前記タンク（３）に液体を投入する前記タンク（３）の投入口（１３）、前記ポンプセット（４）及び前記ホースリール（６）がこの順で配置されており、
前記タンク（３）の投入口（１３）及び前記ホースリール（６）は、前記ポンプセット（４）を前後方向から挟んで前記タンク（３）の端部に対応してそれぞれ配置されていることを特徴とする散布装置（１）。
【請求項２】
前記タンク（３）は、前記ホースリール（６）が配置される側の端部の上部にへこみ部（２４）を有することを特徴とする請求項１記載の散布装置（１）。
【請求項３】
前記タンク（３）の前記ホースリール（６）が配置される側には、把手部（１１）と、当該把手部（１１）の両端部及び前記台車（２）を構成するフレーム（２ａ）を連結する一対の連結部（１２ａ，１２ｂ）とを有するコ字状のハンドル（１０）が設けられており、
前記一対の連結部（１２ａ，１２ｂ）間には、前記把手部（１１）と平行に配置され前記一対の連結部（１２ａ，１２ｂ）を繋ぐレール（２５，２６）が設けられており、
前記レール（２５，２６）には、当該レール（２５，２６）の軸線方向に沿って移動可能であり前記ホース（５）が通されたホースガイド（２７）が支持されていることを特徴とする請求項１又は２記載の散布装置（１）。
【発明の詳細な説明】
【技術分野】
【０００１】
本発明は、散布装置に関する。
【背景技術】
【０００２】
従来、台車に、液体を貯留するタンクが搭載されると共に、このタンクより上に、ポンプ及びこれを駆動する原動機を有し液体をタンクから送り出すためのポンプセットと、ポンプに接続された液体散布用のホースを巻き取るためのホースリールとが搭載された散布装置が知られている（例えば、非特許文献１参照）。この散布装置にあっては、その使用状態の一例に示されているように、タンク上に、前端側から、タンクに液体を投入するタンクの投入口、ホースリール及びポンプセットがこの順で配置されている。
【非特許文献１】意匠１２５０３８５号公報
【発明の開示】
【発明が解決しようとする課題】
【０００３】
しかしながら、上記の散布装置においては、タンクの投入口の直ぐ後ろの上にホースリールが配置されているため、ホースを巻き取る際に、ホースに付着した例えば泥等がタンクの投入口に落ち易く、タンク内に泥等の異物が混入するおそれがある。そして、このように、タンク内へ異物が混入すると、散布装置の故障のリスクが高くなるといった問題があった。
【０００４】
本発明は、このような課題を解決するために成されたものであり、タンクの投入口から泥等の異物がタンク内へ混入することを防止できる散布装置を提供することを目的とする。
【課題を解決するための手段】
【０００５】
本発明による散布装置（１）は、台車（２）に、液体を貯留するタンク（３）が搭載されると共に、タンク（３）より上に、ポンプ（１７）及びこれを駆動する原動機（１８）を有し液体を前記タンク（３）から送り出すためのポンプセット（４）と、ポンプ（１７）に接続された液体散布用のホース（５）を巻き取るためのホースリール（６）とが搭載された散布装置（１）において、タンク（３）に液体を投入するタンク（３）の投入口（１３）、ポンプセット（４）及びホースリール（６）がこの順で配置されており、タンク（３）の投入口（１３）及びホースリール（６）は、ポンプセット（４）を前後方向から挟んでタンク（３）の端部に対応してそれぞれ配置されていることを特徴とする。
【０００６】
この散布装置（１）によれば、タンク（３）の投入口（１３）とホースリール（６）とがポンプセット（４）を挟んで離間しており、ホースリール（６）に巻かれているホース（５）を、投入口（１３）と逆側の端部から引き出すことができるので、ホース（５）に付着した泥等の異物がタンク（３）の投入口（１３）からタンク（３）内へ混入することを防止することができる。
【０００７】
ここで、タンク（３）は、ホースリール（６）が配置される側の端部の上部にへこみ部（２４）を有することが好ましい。このような構成を採用した場合、タンク（３）のホースリール（６）が配置される側のへこみ部（２４）がえぐれている分だけ、ホースリール（６）を低い位置に配置することができる。そのため、散布装置（１）の全高が低くなることで重心が低くなり、ホースリール（６）からホース（５）を引き出す際等に、散布装置（１）が転倒しにくくなる。また、タンク（３）の端部にへこみ部（２４）を設けることで、タンク（３）の中央にへこみ部を設ける場合に比べて容量減少量を小さくでき、規定のタンク容量を確保することができる。
【０００８】
また、タンク（３）のホースリール（６）が配置される側には、把手部（１１）と、把手部（１１）の両端部及び台車（２）を構成するフレーム（２ａ）を連結する一対の連結部（１２ａ，１２ｂ）とを有するコ字状のハンドル（１０）が設けられており、一対の連結部（１２ａ，１２ｂ）間には、把手部（１１）と平行に配置され一対の連結部（１２ａ，１２ｂ）を繋ぐレール（２５，２６）が設けられており、レール（２５，２６）には、レール（２５，２６）の軸線方向に沿って移動可能でありホース（５）が通されたホースガイド（２７）が支持されていることが好ましい。このような構成を採用した場合、ハンドル（１０）を利用してホースガイド（２７）を設けることができるので、部品点数を少なくすることで組立を容易にすることができると共に、コストの削減を図ることができる。
【発明の効果】
【０００９】
本発明によれば、タンクの投入口から泥等の異物がタンク内へ混入することを防止できる。
【発明を実施するための最良の形態】
【００１０】
以下、本発明に係る散布装置の好適な実施形態について添付図面を参照しながら説明する。図１は、本発明の一実施形態に係る散布装置の外観を示す斜視図、図２は、図１に示す散布装置を下方背面から見た斜視図、図３は、図１に示す散布装置の側面図である。
【００１１】
図１〜図３に示すように、散布装置１は、移動可能な台車２と、液体を貯留するタンク３と、液体をタンク３から送り出すためのポンプセット４と、液体を散布するホース５を巻き取るためのホースリール６とを備えている。ここで、液体としては、例えば薬剤が用いられる。以下、各部について詳細に説明する。
【００１２】
台車２は、タンク３、ポンプセット４及びホースリール６を移動するためのものであり、パイプ状のフレーム２ａから構成されたフレーム構造となっている。この台車２には、当該台車２を移動可能にするための一対の車輪７ａ，７ｂ及び一対のキャスタ８ａ，８ｂが回動自在に取り付けられている。図２に示すように、一対の車輪７ａ，７ｂは、台車２の前側（図示左側）に取り付けられており、一対のキャスタ８ａ，８ｂは、台車２の後側（図示右側）に取り付けられている。そして、キャスタ８ａ，８ｂの上部には、荷物等を収容可能な収容カゴ９が設けられている。
【００１３】
また、台車２には、この台車２と一体形成されたハンドル１０が設けられている。このハンドル１０は、図１〜図３に示すように、台車２の後側、すなわちキャスタ８ａ，８ｂ側の上方に設けられており、後方且つ斜め上方に突出している。ハンドル１０は、水平を成し作業者に把持される把手部１１と、当該把手部１１の両端部及びフレーム２ａを連結する一対の連結部１２ａ，１２ｂとを有しており、コ字状を成している。
【００１４】
タンク３は、台車２のフレーム２ａに囲われるように搭載されている。このタンク３には、タンク３内へ液体を投入するための投入口１３と、タンク３内の液体を排出するための排出口１４とが設けられている。投入口１３は、前側上部に設けられ、この投入口１３には、当該投入口１３を塞ぐための蓋１５が着脱可能に取り付けられている。また、排出口１４は、前側下部に設けられ、この排出口１４には、蓋１６が取り付けられている。そして、タンク３には、図３に示すように、その側面にタンク３内の液体残量を示す目盛Ｍが付されている。
【００１５】
ポンプセット４は、図１及び図３に示すように、ポンプ１７と、原動機１８と、バッテリ１９とを備え、原動機１８及びバッテリ１９は、カバー２０によって覆われている。このポンプセット４は、タンク３より上に配置されており、ポンプ台２１を介して台車２（フレーム２ａ）に搭載されている。
【００１６】
ポンプ１７は、ポンプ作用を行うもので、カバー２０の側面より突出するように設けられており、その吸入口がタンク３に接続されている。原動機１８は、ポンプ１７の駆動源となるもので、カバー２０の内部に収容されて覆われる。バッテリ１９は、原動機１８の動力源となるもので、ポンプ台２１上に載置されている。そして、ポンプ１７は、原動機１８により駆動され、タンク３から液体を排出口に送り出し、この排出口に接続されたホース５に排出する。
【００１７】
ホースリール６は、ホース５の巻き取り及び繰り出しを行うもので、タンク３より上に配置されており、ホース５を巻き取る軸２２、軸受２３を介して台車２（フレーム２ａ）に回動自在に搭載されている。また、ホースリール６には、ホース５を巻き取るためのハンドル（図示しない）が取り付けられている。
【００１８】
ここで、特に本実施形態においては、タンク３の投入口１３、ポンプセット４及びホースリール６が前側から後側へこの順で配置されると共に、タンク３の投入口１３及びホースリール６は、ポンプセット４を前後方向から挟んでタンクの端部に対応してそれぞれ配置されている。
【００１９】
具体的には、タンク３の投入口１３の後方にポンプセット４及びホースリール６がこの順で配置され、これにより、タンク３の投入口１３とホースリール６とは、ポンプセット４が間に挟まれた分だけ離間しており、タンク３上といった限られたスペースにおいて最も離間する配置となっている。
【００２０】
また、特に本実施形態においては、タンク３は、ホースリール６が配置される側の端部の上部にへこみ部２４を有する。このへこみ部２４は、円形状のホースリール６の形状に合わせて、タンク３の上部の角部が取られて湾曲するように凹状にえぐれている。これにより、ホースリール６は、ポンプセット４が配置されている位置のタンク３の上面よりも下側に入り込んで配置されている。
【００２１】
さらに、図１及び図２に示すように、ハンドル１０の一対の連結部１２ａ，１２ｂ間には、把手部１１と平行に上下に離間し一対の連結部１２ａ，１２ｂを繋ぐレール２５，２６が設けられている。このレール２５，２６には、レール２５，２６の軸線方向（左右方向）に沿って移動可能でありホース５が通されたホースガイド２７が支持されている。
【００２２】
具体的には、レール２５，２６は、２本のパイプによって構成されている。上方のレール２５は、連結部１２ａ，１２ｂに取り付けられたステー２８ａ，２８ｂを介して連結部１２ａ，１２ｂに固定されており、また、下方のレール２６は、連結部１２ａ，１２ｂと一体形成されている。そして、この２本のレール２５，２６にホースガイド２７が掛け渡され、このホースガイド２７がレール２５，２６の軸線方向に沿って移動（摺動）可能に支持されている。このホースガイド２７は、図２に示すように、矩形状の開口２９を有しており、この開口２９にホース５が通されている。
【００２３】
このように、本実施形態にあっては、タンク３の投入口１３とホースリール６とがポンプセット４を挟んで離間しており、ホースリール６に巻かれているホース５を、投入口１３と逆側の端部から引き出すことができるので、ホース５に付着した泥等の異物がタンク３の投入口１３からタンク３内へ混入することを防止することができる。
【００２４】
また、本実施形態にあっては、タンク３は、ホースリール６が配置される側の端部の上部にへこみ部２４を有しているので、タンク３のホースリール６が配置される側のへこみ部２４がえぐれている分だけ、ホースリール６を低い位置に配置することができる。そのため、散布装置１の全高が低くなることで重心が低くなり、ホースリール６からホース５を引き出す際等に、散布装置１が転倒しにくくなる。また、タンク３の端部にへこみ部２４を設けることで、タンク３の中央にへこみ部を設ける場合に比べて容量減少量を小さくでき、規定のタンク容量を確保することができる。
【００２５】
さらに、本実施形態にあっては、タンク３のホースリール６が配置される側には、把手部１１と、把手部１１の両端部及び台車２を構成するフレーム２ａを連結する一対の連結部１２ａ，１２ｂとを有するコ字状のハンドル１０が設けられており、一対の連結部１２ａ，１２ｂ間には、把手部１１と平行に配置され一対の連結部１２ａ，１２ｂを繋ぐレール２５，２６が設けられており、レール２５，２６には、レール２５，２６の軸線方向に沿って移動可能でありホース５が通されたホースガイド２７が支持されているため、ハンドル１０を利用してホースガイド２７を設けることができ、部品点数を少なくすることで組立を容易にすることができると共に、コストの削減を図ることができる。
【００２６】
以上、本発明をその実施形態に基づき具体的に説明したが、本発明は上記実施形態に限定されるものではなく、例えば、上記実施形態においては、タンク３の投入口１３、ポンプセット４及びホースリール６が前側から後側へこの順で配置されているが、ホースリール６、ポンプセット４及びタンク３の投入口１３が前側から後側へこの順で配置されても良い。
【図面の簡単な説明】
【００２７】
【図１】本発明の一実施形態に係る散布装置の外観を示す斜視図である。
【図２】図１に示す散布装置を下方背面から見た斜視図である。
【図３】図１に示す散布装置の側面図である。
【符号の説明】
【００２８】
１…散布装置、２…台車、２ａ…フレーム、３…タンク、４…ポンプセット、５…ホース、６…ホースリール、１０…ハンドル、１１…把手部、１２ａ，１２ｂ…連結部、１３…投入口、１７…ポンプ、１８…原動機、２４…へこみ部、２５，２６…レール、２７…ホースガイド。
【図１】
2010154776.tif 000003
【図２】
2010154776.tif 000004
【図３】
2010154776.tif 000005